(57)【要約】【課題】防水性に優れると共にハーネスの変更にも容易に対処でき、かつ、ハーネスの引出し方向も可変とすることができる電気機器を提供すること。【解決手段】フロントケース部３２とリアケース部３４との合体によりカメラハウジング３０が形成され、この内部に回路基板２４が収納されている。リアケース部３４の外面側に、その一側外方に指向する外側コネクタ３８が一体的に設けられている。フロントケース部３２に対するリアケース部３４の取付姿勢が可変であり、該取付姿勢に応じて前記外側コネクタ３８の指向方向を変更できる。【選択図】図１
2006344571.tif 000002
【特許請求の範囲】
【請求項１】
外部機器に外部ハーネスを介して接続される電気機器であって、
内部電気部品と、
第１のケース部と第２のケース部との合体により構成され、前記内部電気部品を内部に収容したケース状ハウジング体と、
を備え、
前記第２のケース部は、前記第１のケース部に対する複数の取付姿勢のうちから一つを選択して前記第１のケース部に取付可能に形成され、
前記第２のケース部の内面側に前記内部電気部品が電気的に接続される複数の内側端子部が設けられると共に、前記第２のケース部の外面側に複数の外側コネクタ端子部を有し前記外部ハーネスを接続可能な外側コネクタ部が一体的に設けられ、前記各内側端子部と前記各外側コネクタ端子部とが前記第２のケース部に設けられた接続導体でそれぞれ接続されている、電気機器。
【請求項２】
外部機器に外部ハーネスを介して接続される電気機器であって、
内部電気部品と、
第１のケース部と第２のケース部との合体により構成され、前記内部電気部品を内部に収容したケース状ハウジング体と、
を備え、
前記第２のケース部は、前記第１のケース部に対する複数の取付姿勢のうちから一つを選択して前記第１のケース部に取付可能に形成され、
前記第２のケース部の内面側に前記内部電気部品が電気的に接続される複数の内側端子部が設けられると共に、前記第２のケース部の外面側に複数の外側コネクタ端子部を有し前記第２のケース部の一側方から前記外部ハーネスを接続可能な外側コネクタ部が一体的に設けられ、前記各内側端子部と前記各外側コネクタ端子部とが前記第２のケース部に設けられた接続導体でそれぞれ接続されている、電気機器。
【請求項３】
請求項１又は請求項２記載の電気機器であって、
前記第１のケース部の接合部と前記第２のケース部の接合部とが、略ｎ回転対称形状（ｎは２以上の整数）または略円形状に形成されている、電気機器。
【請求項４】
請求項１〜請求項３のいずれかに記載の電気機器であって、
前記内側端子部のうちの一つと、前記各外側コネクタ端子部のうちの一つと、これらの端子部同士を接続する接続導体とが単一の導電性部材により構成されている、電気機器。
【請求項５】
請求項１〜請求項４のいずれかに記載の電気機器であって、
前記接続導体は、第２のケース部にインサート成形されている、電気機器。
【請求項６】
請求項１又は請求項２記載の電気機器であって、
前記第２のケース部の内面側に、前記各内側端子部をコネクタ端子部として有する内側コネクタ部が設けられ、
前記内部電気部品と前記内側コネクタ部にコネクタ接続される部品側コネクタとが配線部材を介して接続されており、
前記内側コネクタ部と前記部品側コネクタとが接続された状態で、前記配線部材が前記第２のケース部の接合部の回転対称軸又は中心軸近傍で前記部品側コネクタ部から引出されている、電気機器。
【発明の詳細な説明】
【技術分野】
【０００１】
本発明は、外部機器に外部ハーネスを介して接続されるカメラ機器等の電気機器に関するものである。
【背景技術】
【０００２】
例えば、車載用カメラ機器を他の制御機器や電源に接続するための技術として、次に説明するものが提案される。
【０００３】
すなわち、車載用カメラ機器は、撮像素子を実装すると共に電源回路や信号処理回路等を形成した基板と、この基板を収容したケース状ハウジング体と、本車載用カメラ機器を外部の制御機器や電源等に接続するためのハーネスとを備えている。
【０００４】
ハーネスは、基板への接続に適した比較的細径のハーネス部分と、外部での配索に適した比較的太径のハーネス部分とを備えている。細径のハーネス部分は、ケース状ハウジング体の内部で基板に接続されると共に、該ケース状ハウジング体を貫通して外部に引出されている。そして、ケース状ハウジング体の外部で、細径のハーネス部分に、太径のハーネス部分が接続されている。太径のハーネス部分は、適宜車体に配索されて、他の制御機器や電源等に接続されている。
【０００５】
ところが、上記構成では、細径のハーネス部分の一端自体が、ケース状ハウジング体内に導入されている。このため、車載用カメラ機器内に水が侵入しないようにするために、細径のハーネス部分に対して十分な防水対策を施す必要がある。例えば、特許文献１に開示のように、細径のハーネス部分と太径のハーネス部分との接続部分を熱収縮チューブで覆った上、そのさらに周囲をエポキシ樹脂などで封止等する必要がある。このため、構成の複雑化及び組立作業の繁雑化を招いていた。
【０００６】
また、ハーネスが車載用カメラ機器に一体的に組立てられる構成であるため、例えば、搭載車種の変更によるハーネスの必要長の変更等に容易に対処できず、汎用性に劣るという問題があった。
【０００７】
そこで、ケース状ハウジング体自体に中継端子をインサート成形し、ケース状ハウジング体の内部及び外部に、前記中継端子をコネクタ端子として含むコネクタを一体的に作り込んでしまうといった構成が提案されている。
【０００８】
この場合、ケース状ハウジング体自体に中継端子をインサート成形しているため、比較的簡易な構成かつ組立で、優れた防水性能を得ることができる。また、ケース状ハウジング体の外側のコネクタに接続するハーネスを変更することで、搭載車種の変更によるハーネスの必要長の変更等に容易に対処でき、汎用性にも優れる。
【０００９】
【特許文献１】特開２００２−３５９０１７号公報
【発明の開示】
【発明が解決しようとする課題】
【００１０】
しかしながら、例えば、車載用カメラ機器の搭載車種が変更されると、車載用カメラ機器から外部機器に至る配線経路も変り、すると、車載用カメラ機器からのハーネスの延出させるべき方向も変る。ところが、ケース状ハウジング体にコネクタを一体的に形成した構成では、コネクタの形成位置及び姿勢に応じてハーネスの引出し方向が限定され、搭載車種変更に伴う配線経路の変更等に容易に対処できないという問題があった。
【００１１】
また、ケース状ハウジング体が、所定のケース部と、コネクタ付ケース部との分割構成とされている場合、所定のケース部に対するコネクタ付ケース部の取付姿勢が限定されていると、組立作業上不便である。
【００１２】
そこで、本発明は、防水性に優れると共にハーネスの変更にも容易に対処でき、かつ、分割構成とされたケース部の取付姿勢の自由度向上を図って、例えば、ハーネスの引出し方向変更にも容易に対処できるようにした電気機器を提供することを目的とする。
【課題を解決するための手段】
【００１３】
この発明に係る電気機器は、外部機器に外部ハーネスを介して接続される電気機器であって、内部電気部品と、第１のケース部と第２のケース部との合体により構成され、前記内部電気部品を内部に収容したケース状ハウジング体と、を備え、前記第２のケース部は、前記第１のケース部に対する複数の取付姿勢のうちから一つを選択して前記第１のケース部に取付可能に形成され、前記第２のケース部の内面側に前記内部電気部品が電気的に接続される複数の内側端子部が設けられると共に、前記第２のケース部の外面側に複数の外側コネクタ端子部を有し前記外部ハーネスを接続可能な外側コネクタ部が一体的に設けられ、前記各内側端子部と前記各外側コネクタ端子部とが前記第２のケース部に設けられた接続導体でそれぞれ接続されているものである。
【００１４】
この発明に係る他の電気機器は、外部機器に外部ハーネスを介して接続される電気機器であって、内部電気部品と、第１のケース部と第２のケース部との合体により構成され、前記内部電気部品を内部に収容したケース状ハウジング体と、を備え、前記第２のケース部は、前記第１のケース部に対する複数の取付姿勢のうちから一つを選択して前記第１のケース部に取付可能に形成され、前記第２のケース部の内面側に前記内部電気部品が電気的に接続される複数の内側端子部が設けられると共に、前記第２のケース部の外面側に複数の外側コネクタ端子部を有し前記第２のケース部の一側方から前記外部ハーネスを接続可能な外側コネクタ部が一体的に設けられ、前記各内側端子部と前記各外側コネクタ端子部とが前記第２のケース部に設けられた接続導体でそれぞれ接続されているものである。
【００１５】
この場合に、前記第１のケース部の接合部と前記第２のケース部の接合部とが、略ｎ回転対称形状（ｎは２以上の整数）または略円形状に形成されていてもよい。
【００１６】
また、前記内側端子部のうちの一つと、前記各外側コネクタ端子部のうちの一つと、これらの端子部同士を接続する接続導体とが単一の導電性部材により構成されていてもよい。
【００１７】
さらに、前記接続導体は、第２のケース部にインサート成形されていてもよい。
【００１８】
また、前記第２のケース部の内面側に、前記各内側端子部をコネクタ端子部として有する内側コネクタ部が設けられ、前記内部電気部品と前記内側コネクタ部にコネクタ接続される部品側コネクタとが配線部材を介して接続されており、前記内側コネクタ部と前記部品側コネクタとが接続された状態で、前記配線部材が前記第２のケース部の接合部の回転対称軸又は中心軸近傍で前記部品側コネクタ部から引出されていてもよい。
【発明の効果】
【００１９】
この発明の電気機器によると、第２のケース部の外面側に複数の外側コネクタ端子部を有し外部ハーネスを接続可能な外側コネクタ部が一体的に設けられている。このため、外部ハーネスを伝った水の浸入がより確実に防止され防水性に優れると共に、外部ハーネスの変更にも容易に対処できる。さらに、前記第２のケース部は、前記第１のケース部に対する複数の取付姿勢のうちから一つを選択して前記第１のケース部に取付可能に形成されているため、第１のケース部に対する第２のケース部の取付姿勢を適宜選択して取付けることができ、第１のケース部に対する第２のケース部の取付姿勢の自由度向上を図ることができる。
【００２０】
この発明の電気機器によると、第２のケース部の外面側に複数の外側コネクタ端子部を有し前記第２のケース部の一側方から外部ハーネスを接続可能な外側コネクタ部が一体的に設けられている。このため、外部ハーネスを伝った水の浸入がより確実に防止され防水性に優れると共に、外部ハーネスの変更にも容易に対処できる。さらに、前記第２のケース部は、前記第１のケース部に対する複数の取付姿勢のうちから一つを選択して前記第１のケース部に取付可能に形成されているため、第１のケース部に対する第２のケース部の取付姿勢を適宜選択して取付けることで、第１のケース部に対する第２のケース部の取付姿勢の自由度向上を図ることができ、ハーネスの引出し方向変更にも容易に対処できるようになる。
【００２１】
より具体的には、前記第１のケース部の接合部と前記第２のケース部の接合部とが、略ｎ回転対称形状（ｎは２以上の整数）又は略円形状に形成されていると、前記第１のケース部に対して前記第２のケース部を回転させてその取付姿勢を変更することができる。
【００２２】
さらに、前記内側端子部のうちの一つと、前記各外側コネクタ端子部のうちの一つと、これらの端子部同士を接続する接続導体とが単一の中継導電性部材により構成されていると、その構成をより簡易化することができる。
【００２３】
さらに、前記接続導体が、第２のケース部にインサート成形されていると、容易に製造でき、かつ、防水性にも優れる。
【００２４】
また、前記第２のケース部の内面側に、前記各内側端子部をコネクタ端子部として有する内側コネクタ部が設けられ、前記内部電気部品と前記内側コネクタ部にコネクタ接続される部品側コネクタとが配線部材を介して接続されており、前記内側コネクタ部と前記部品側コネクタとが接続された状態で、前記配線部材が前記第２のケース部の接合部の回転対称軸又は中心軸近傍で前記部品側コネクタ部から引出されていると、第１のケース部に対する第２のケース部の取付姿勢に拘らず、配線部材の引出し位置や必要長を略一定にすることができる。
【発明を実施するための最良の形態】
【００２５】
以下、この発明の実施形態に係る電気機器について説明する。ここでは、電気機器として車載用カメラ機器を想定した例について説明するが、その他、各種車載電気機器、一般的なモジュール機器等、外部機器に外部ハーネスを介して電気的に接続される電気機器一般に適用し得る。
【００２６】
図１は実施形態に係る車載用カメラ機器と外部ハーネスとを示す説明図であり、図２はリアケース部を示す図である。この車載用カメラ機器２０は、車両のバンパやグリル等に設置されて車両の外部景色を撮像するための装置で、いわゆるブラインドコーナーモニタやバックモニタ、サイドモニタ等を構成し、外部ハーネス２１を介して電源や車室内の表示装置等の外部機器に接続される構造とされている。
【００２７】
ここで、外部ハーネス２１は、複数の電線２１ａの端部にハーネス側コネクタ２２を取付けた構成とされている。前記各電線２１ａとしては、耐屈曲性の観点等からして外部での配索に適した比較的太径のものが用いられている。
【００２８】
ハーネス側コネクタ２２は、コネクタハウジング２２ａ内に、前記各電線２１ａに対応するコネクタ端子２２ｂ（例えばメス端子）をそれぞれ組み込んだ構成とされている。各コネクタ端子２２ｂとしては、前記電線２１ａの径にあわせて、当該比較的太径の電線２１ａを圧着可能な比較的太径なものが用いられている。
【００２９】
なお、外部ハーネス２１の他端側は、適宜コネクタ接続等を介して車室内の表示装置や電源等の外部機器に接続されている。
【００３０】
車載用カメラ機器２０は、内部電気部品としての回路基板２４と、ケース状ハウジング体としてのカメラハウジング３０とを備えている。
【００３１】
回路基板２４には、ＣＣＤ素子等の撮像素子２６が実装されると共に、撮像素子２６に関する電源回路や信号処理回路等が形成されている。
【００３２】
また、回路基板２４に配線部材として電源供給用や信号授受用の複数の電線２５が半田付け等により接続されると共に、その複数の電線２５の端部に部品側コネクタ２７が取付けられている。複数の電線２５としては、上記電線２１ａよりも細径のもの、即ち、カメラハウジング３０内における狭所での配線及び回路基板２４への接続に適した比較的細径のものが用いられる。
【００３３】
部品側コネクタ２７は、コネクタハウジング２７ａ内に、複数のコネクタ端子２７ｂが所定の配列（ここでは略正方形形状の配列）で、コネクタハウジング２７ａに組込み保持された構成とされている。
【００３４】
各コネクタ端子２７ｂは、それぞれ電線２５の端部に接続されている。各コネクタ端子２７ｂとしては、電線２５の径に合わせて、当該比較的細径の電線２５を圧着可能な比較的細径のものが用いられる。
【００３５】
各コネクタ端子２７ｂに接続された各電線２５は、各コネクタ端子２７ｂの側方を経由してコネクタハウジング２７ａの一側部から外部に引出される（図１及び図２（ａ）参照）。そして、本部品側コネクタ２７と後述する内側コネクタ部３７とが接続された状態で、リアケース部３４の略中央部（より具体的には、リアケース部３４の開口周縁部３４ａの回転対称軸Ａ近傍）位置で部品側コネクタ２７から引出されるようになっている。これにより、フロントケース部３２に対するリアケース部３４との回転取付姿勢に拘らず、各電線２５の必要長、配線態様等を略一定にできる。
【００３６】
また、回路基板２４は、撮像素子２６にて外部景色を撮像可能な位置及び姿勢で、カメラハウジング３０内に固定される。ここでは、回路基板２４はフロントケース部３２内に固定される。
【００３７】
カメラハウジング３０は、第１ケース部としてのフロントケース部３２と第２ケース部としてのリアケース部３４との２分割構造とされ、適宜シール材を介して両者がねじ止等により組合わされて液密状に合体される構造とされている。
【００３８】
フロントケース部３２は、樹脂等により形成されており、その一主面には光学系３０ｃが組込まれている。そして、カメラハウジング３０内の撮像素子２６は当該光学系３０ｃを通じて外部景色を撮像するように構成されている。
【００３９】
また、リアケース部３４も樹脂等により形成されており、上記フロントケース部３２に対する複数の取付姿勢のうちから一つを選択して該フロントケース部３２に取付可能に構成されている。
【００４０】
より具体的には、上記フロントケース部３２の接合部である開口周縁部３２ａと、リアケース部３４の接合部である開口周縁部３４ａ（開口周縁部３４ａに設けられたシール部材等を含む）とが、４回回転対称な形状である略正方形形状に形成されている。そして、リアケース部３４が、フロントケース部３２に対してを所定の回転対称軸Ａを中心に略９０度ずつ順次回転させた姿勢のうちの一つを選択して液密状に取付可能に構成されている。ここで、所定の回転対称軸Ａは、フロントケース部３２とリアケース部３４との接合部分（開口周縁部３２ａ，３４ａ）の中心を通る軸Ａである。
【００４１】
なお、開口周縁部３２ａ，３４ａは、２回転対称形状である略楕円や、３回転対称形状である略正三角形状に形成されていてもよく、要するに、略ｎ回転対称形状（ｎは２以上の整数）に形成されていてもよい。また、開口周縁部３２ａ，３４ａは、略円形状に形成されていてもよい。
【００４２】
また、リアケース部３４の一主面（背面）には、複数（ここでは４つ）の中継端子部材３６が設けられている。
【００４３】
各中継端子部材３６は、長尺状の導電性部材の中間部を略Ｌ字状に屈曲した部材であり、その一端部は他端部よりも細径に形成されている。各中継端子部材３６の細径側の端部は、部品側コネクタ２７のコネクタ端子２７ｂと接続可能な内側コネクタ端子部３７ａに形成される。各中継端子部材３６の太径側の端部は、ハーネス側コネクタ２２のコネクタ端子２２ｂに接続可能な外側コネクタ端子部３８ａに形成される。つまり、一つの内側コネクタ端子部３７ａと、これに対応する一つの外側コネクタ端子部３８ａと、これらを接続する接続導体（ここでは中継端子部材３６の中間部分）とが、単一の導電性部材で構成されることになる。もっとも、これらの各部分が別々の部材で構成され、それら各部材が別途半田付けや溶接、圧着等で接続される構成であってもよい。ちなみに、この中継端子部材３６は、カメラハウジング３０内での比較的細径な端子接続構造を、カメラハウジング３０外での比較的太径の端子接続構造に変換する機能をも有している。
【００４４】
このような中継端子部材３６は、例えば、金属板を適宜形状に打抜き加工等することにより形成され、例えば、銅合金等の母材にＳｎメッキを施した部材である。相手側端子との接触面積が小さくなる傾向にある細径側の内側コネクタ端子部３７ａ部分については、接続信頼性を向上させるため、金メッキを施してもよい。さらに、中継端子部材の内側コネクタ端子部３７ａ及び外側コネクタ端子部３８ａの端子形状については、低コスト化を図るため、角型に形成しておくことが好ましい。この場合、相手側端子との接続信頼性向上を図るため、該相手側端子との接触面は、端子材剪断加工時の剪断面ではない平滑面（基の板材で表面となっていた面）となるようにすることが好ましい。
【００４５】
これらの中継端子部材３６は、各内側コネクタ端子部３７ａをリアケース部３４内に突出させると共に、各外側コネクタ端子部３８ａをリアケース部３４の外方に突出させた状態で、リアケース部３４にインサート成形されている。なお、リアケース部３４の一主面のうち本中継端子部材３６がインサート成形される部分の一部分は、他の部分よりも若干肉厚に形成されていてもよい。
【００４６】
各内側コネクタ端子部３７ａは、リアケース部３４の一主面の背面側に所定の配列（ここでは略方形状）に並べられており、これらの内側コネクタ端子部３７ａにより上記部品側コネクタ２７と接続可能な内側コネクタ部３７が構成されている。
【００４７】
また、各外側コネクタ端子部３８ａは、所定の配列（ここでは略正方形形状）でリアケース部３４の外面側方に向けて延出している。換言すれば、各外側コネクタ端子部３８ａは、上記所定の回転対称軸Ａと略直交する方向に沿って延出している。また、リアケース部３４の外面に、上記各外側コネクタ端子部３８ａを囲うようにして略筒状のコネクタハウジング３８ｂが一体形成されている。このコネクタハウジング３８ｂには、相手側のハーネス側コネクタ２２との接続状態を係合保持するためのロック部３８ｄが形成されている。そして、各外側コネクタ端子部３８ａ及びコネクタハウジング３８ｂにより、外側コネクタ３８が構成される。これにより、リアケース部３４の一側方からハーネス側コネクタ２２を接続可能な外側コネクタ３８がリアケース部３４に一体的に設けられることになる。
【００４８】
このように構成された車載用カメラ機器を組立てるにあたっては、回路基板２４をフロントケース部３２内に固定させると共に、回路基板２４側の部品側コネクタ２７をリアケース部３４内部の内側コネクタ部３７に接続する。この状態で、フロントケース部３２内の回路基板２４とリアケース部３４内の部品側コネクタ２７間は、屈曲自在かつ柔軟な電線２５で接続されている。このため、フロントケース部３２に対するリアケース部３４の姿勢は変更自在である。
【００４９】
そして、本カメラ機器２０の設置対応箇所における外部ハーネス２１の敷設態様等に応じて、外側コネクタ３８がカメラハウジング３０の所定の一側外方向を指向するように、フロントケース部３２に対するリアケース部３４の姿勢を決定して組合わせる。例えば、カメラ機器２０の下方に外部ハーネス２１が引回されるような場合には、図１に示すように、外側コネクタ３８がカメラ機器２０の下方を指向するように、フロントケース部３２に対してリアケース部３４を組合わせる。また、カメラ機器２０の上方に外部ハーネス２１が引回されるような場合には、図３に示すように、外側コネクタ３８がカメラ機器２０の上方を指向するように、フロントケース部３２に対してリアケース部３４を組合わせる。さらに、カメラ機器２０の横方向に外部ハーネス２１が引回される場合には、外側コネクタ３８がカメラ機器２０の横方向を指向するように、フロントケース部３２に対してリアケース部３４を組合わせる。そして、フロントケース部３２とリアケース部３４とを、ねじ等を用いて固定する。
【００５０】
また、このように組み付けられた車載用カメラ機器２０を車両に設置するに際しては、外側コネクタ３８に外部ハーネス２１のハーネス側コネクタ２２をコネクタ接続する。これにより、内部電気機器である回路基板２４が、部品側コネクタ２７、内側コネクタ部３７、外側コネクタ３８、ハーネス側コネクタ２２及び外部ハーネス２１を介して、外部制御機器や外部電源等の外部機器に電気的に接続される。
【００５１】
以上のように構成されたカメラ機器２０によると、リアケース部３４の外面側に、複数の外側コネクタ端子部３８ａを有し該リアケース部３４の一側方から外部ハーネス２１を接続可能な外側コネクタ３８が一体的に設けられている。このため、外部ハーネス２１を伝った水の浸入がより確実に防止され防水性に優れると。また、車載用カメラ機器２０の設置位置や姿勢、また、設置する車種の変更等に起因する外部ハーネス２１の変更にも容易に対処できる。
【００５２】
さらに、リアケース部３４は、フロントケース部３２に対する複数の取付姿勢のうちから一つを選択してフロントケース部３２に取付可能に形成されている。本実施形態では、フロントケース部３２の開口周縁部３２ａとリアケース部３４の開口周縁部３４ａとが、略ｎ回転対称形状（ｎは２以上の整数）又は略円形状に形成されることで、前記第１のケース部に対する前記第２のケース部の取付姿勢を変更することができるようになっている。このため、フロントケース部３２に対するリアケース部３４の取付姿勢を適宜選択して取付けることで、外部ハーネス２１の引出し方向変更にも容易に対処することができる。
【００５３】
また、各内側コネクタ端子部３７ａのうちの一つと、各外側コネクタ端子部３８ａのうちの一つと、これらの端子部３７ａ，３８ａ同士を接続する接続導体とが、単一の中継端子部材３６により構成されているため、その構成をより簡易化することができる。
【００５４】
しかも、接続導体を含む中継端子部材３６がリアケース部３４にインサート成型されているため、容易に製造でき、かつ、防水性にも優れる。
【００５５】
なお、本実施形態では、内側コネクタ部３７と部品側コネクタ２７とがコネクタ接続される例で説明したが、必ずしもその必要はない。例えば、上記内側コネクタ端子部３７ａに代えて半田付又は溶接等可能な内側端子部に形成し、回路基板２４側の配線部材であるリード線、ＦＦＣ（フレキシブルフラットケーブル）やＦＰＣ（フレキシブル印刷基板）等をこの内側端子部に半田付や溶接等で接続するようにしてもよい。
【００５６】
もっとも、本実施形態のように、リアケース部３４の内面側に、内側コネクタ部３７が設けられると共に、回路基板２４と部品側コネクタ２７とが電線２５を介して接続されており、内側コネクタ部３７と部品側コネクタ２７とがコネクタ接続された状態で、電線２５がリアケース部３４の開口周縁部３４ａの回転対称軸Ａ又は中心軸近傍で部品側コネクタ２７から引出されることで、フロントケース部３２に対するリアケース部３４の取付姿勢に拘らず、電線２５の引出し位置やその必要長を略一定にすることができる。
【００５７】
また、上記外部ハーネス２１は、必ずしも直接外部機器に接続される必要はなく、中継ハーネス等を介して外部機器に接続されてもよい。
【００５８】
また、上記実施形態では、外側コネクタ３８がリアケース部３４の一側方に向けて延出する態様について説明したが、必ずしもその必要はない。
【００５９】
例えば、図４及び図５に示すように、上記リアケース部３４に対応するリアケース部１３４の背面から外方向（後方）に向けて、外側コネクタ１３８が延出する構成であっても構わない。なお、本例では、外側コネクタ１３８の延出方向に合わせて、上記中継端子部材３６に対応する中継端子部材１３６を直線状に形成している。
【００６０】
また、これら外側コネクタ１３８はリアケース部３４の背面における中央部からずれた位置にあっても、或は、中央部にあっても構わない。
【００６１】
このような構成においても、上記実施形態と同様に、防水性に優れると共にハーネスの変更にも容易に対処できるという効果を得ることができる。また、フロントケース部３２に対するリアケース部３４の取付姿勢の自由度向上を図ることができ、これにより、リアケース背面におけるハーネスの引出し位置の変更に容易に対処できるようにし、また、組立作業性の向上等を図ることができる。
【図面の簡単な説明】
【００６２】
【図１】実施形態に係る車載用カメラ機器と外部ハーネスとを示す説明図である。
【図２】図２（ａ）はリアケース部を示す正面図であり、図２（ｂ）はリアケース部を示す底面図であり、図２（ｃ）はリアケース部を示す背面図であり、図２（ｄ）はリアケース部を示す断面図である。
【図３】リアケース部の取付姿勢の他の例を示す図である。
【図４】変形例に係るリアケース部を示す断面図である。
【図５】変形例に係るリアケース部を示す正面図である。
【符号の説明】
【００６３】
２０  カメラ機器
２１  外部ハーネス
２２  ハーネス側コネクタ
２４  回路基板
２５  電線
２７  部品側コネクタ
２７ａ  コネクタハウジング
２７ｂ  コネクタ端子
３０  カメラハウジング
３２  フロントケース部
３２ａ  開口周縁部
３４  リアケース部
３４ａ  開口周縁部
３６  中継端子部材
３７  内側コネクタ部
３７ａ  内側コネクタ端子部
３８  外側コネクタ
３８ａ  外側コネクタ端子部
３８ｂ  コネクタハウジング
Ａ  回転対称軸
【図１】
2006344571.tif 000003
【図２】
2006344571.tif 000004
【図３】
2006344571.tif 000005
【図４】
2006344571.tif 000006
【図５】
2006344571.tif 000007